(57)【要約】      （修正有）【課題】バストアップや背すじを伸ばすことを含めた猫背矯正や腰痛・肩凝り・五十肩予防解消に積極的に貢献する、ヘルシージム、バストアップ、猫背矯正、腰痛・肩凝り・五十肩予防解消健康器具を提供する。【解決手段】左右の土台パイプ１２と後ろ側の土台パイプ１３を基礎とし、前支柱１に、背当て支柱２、つかまり棒ａ３・つかまり棒ｂ４・つかまり棒ｃ５・つかまり棒ｄ６、背当て７、背当てアーム８、背当て調節パイプ９、ゴムバンド１０、前支柱と背当て支柱をつなぐ連結棒１１を有することを特徴とする。これらにより、バストアップや背すじを伸ばすことを含めた猫背矯正や腰痛・肩凝り・五十肩予防解消に積極的に貢献する。【選択図】図１
0003179500.tif 000002
【実用新案登録請求の範囲】
【請求項１】
前支柱に、背当て支柱、つかまり棒（ａ〜ｄ）、背当て、背当てアーム、背当て調節パイプ、ゴム（性）バンド、前支柱と背当て支柱をつなぐ連結棒を有することを特徴とするヘルシージム、バストアップ、猫背矯正、腰痛・肩凝り・五十肩予防解消健康器具。
【考案の詳細な説明】
【技術分野】
【０００１】  ヘルシージム、バストアップ、猫背矯正、腰痛・肩凝り・五十肩予防解消健康器具に関する。
【背景技術】
【０００２】  従来のヘルシージムという名のぶら下がり健康器具は「ただぶら下がるだけ」の構造や形状で構成されていて、「背すじを伸ばし、肩・腰をやわらげ、健康維持をサポート」としているが、所詮ぶら下がるだけの器具で、器具自体はバストアップや背すじを伸ばすことを含めた猫背矯正や腰痛・肩凝り・五十肩予防解消に積極的に貢献していない欠点がある。  尚、特許文献は、見当たりませんでした。
【先行技術文献】
【特許文献】
【０００３】  なし【０００４】
【非特許文献】
【非特許文献】平成２４年１月７日の読売新聞、朝刊、３１面、ヘルシージムという商品の広告
【考案の概要】
【考案が解決しようとする課題】
【０００５】  本考案は、以上のような従来の欠点を鑑み、バストアップや背すじを伸ばすことを含めた猫背矯正や腰痛・肩凝り・五十肩予防解消に積極的に貢献する、ヘルシージム、バストアップ、猫背矯正、腰痛・肩凝り・五十肩予防解消健康器具を提供する事を目的とする。
【課題を解決するための手段】
【０００６】  上記目的を達成するために、本考案は前支柱に、背当て支柱、及び、つかまり棒、ないし、背当て、背当てアーム、背当て調節パイプ、ゴム（性）バンド、前支柱と背当て支柱をつなぐ連結棒を有することを特徴とすることによりヘルシージム、バストアップ、猫背矯正、腰痛・肩凝り・五十肩予防解消健康器具を構成している。
【考案の効果】
【０００７】  以上の説明から明らかなように、本考案にあっては次に列挙する効果が得られる。  前支柱に、背当て支柱及びつかまり棒ないし背当て、背当てアーム、背当て調節パイプ、ゴム（性）バンド、前支柱と背当て支柱をつなぐ連結棒を有することを特徴とする構成要件とで構成されているので、バストアップや背すじを伸ばすことを含めた猫背矯正や腰痛・肩凝り・五十肩予防解消に積極的に貢献することができる。
【図面の簡単な説明】
【０００８】
【図１】本考案に係るヘルシージム、バストアップ、猫背矯正、腰痛・肩凝り・五十肩予防解消健康器具の外観図（斜視図）である。
【図２】本考案に係るヘルシージム、バストアップ、猫背矯正、腰痛・肩凝り・五十肩予防解消健康器具の正面図である。
【図３】本考案に係るヘルシージム、バストアップ、猫背矯正、腰痛・肩凝り・五十肩予防解消健康器具の背面図である。
【図４】本考案に係るヘルシージム、バストアップ、猫背矯正、腰痛・肩凝り・五十肩予防解消健康器具の右側面図である。
【図５】本考案に係るヘルシージム、バストアップ、猫背矯正、腰痛・肩凝り・五十肩予防解消健康器具の平面図である。
【図６】本考案に係るヘルシージム、バストアップ、猫背矯正、腰痛・肩凝り・五十肩予防解消健康器具の底面図である。
【考案を実施するための形態】
【０００９】  以下、本考案の実施の形態を図に基づいて説明する。
【実施例１】
【００１０】  図１に示すように本考案のヘルシージム、バストアップ、猫背矯正、腰痛・肩凝り・五十肩予防解消健康器具は、前支柱１と背当て支柱２、つかまり棒ａの３・つかまり棒ｂの４・つかまり棒ｃの５・つかまり棒ｄの６、背当て７、背当てアーム８、背当て調節パイプ９、ゴム（性）バンド１０、前支柱と背当て支柱をつなぐ連結棒１１を有する。  図１のつかまり棒ａの３に、先ずつま先を地に必ず着けたまま、背当て７の方を背にして、体をできるだけ伸ばすようにしながらつかまる（足を地に着けたままぶら下がる）。この時、既に背当て７は体の背に触れている（８、９は長さ、高さ調節可能）。次にその位置その体勢のまま、つかまり棒ｂの４、つかまり棒ｃの５へと手及び腕を後ろ（つかまり棒ｄの６の方）にずらしていく。かくして、背当て７によって背（脊柱［胸椎］）がより前に押されること（猫背矯正・バストアップ）になる。できれば、つかまり棒ｄの６にもつかまれることが望ましい（触れるだけでもよい）。最後に、つかまり棒ｃの５とつかまり棒ｄの６の間に大きなクリップ等でセット（セットはつかまり棒ｂの４とつかまり棒ｃの５の間でもよい）しておいたゴム（性）バンド１０をつかみお尻の方へ手をもっていく（結帯動作）。この結帯動作によっても、更に背（脊柱［胸椎］）が前に押されること（猫背矯正・バストアップ）となる。この動作は、五十肩予防（解消）にも有効であると私は考えている。姿勢が猫背であれば、猫背が矯正されるにつれ肩凝りは、次第に解消されであろう。また、背筋が伸びること（猫背が矯正されること）で肩凝りは予防されるであろう。更には、前かがみを原因とする腰痛に対しては、背筋が伸びることである程度腰痛は解消され、腰痛の予防も期待できるであろう。  図面は（おおよそ）１／２０で示す。左側面図は、右側面図と対称なので省略してある。  本考案の材質は主に鉄鋼（スチール）である。または、その類いである（部分的には強化プラスチックも可で、１部ゴム［性］の物を使用）。大きさは、以下のようである。本考案は丸パイプで構成されていて、パイプの太さは、概ね２．５ｃｍである。高さ（地からつかまり棒ａの３までの高さ［つかまり棒ａの３がつかまり棒の中で最も高い位置にある］）は、（調節可能だが）１８０ｃｍである。但し、前支柱と背当て支柱をつなぐ連結棒１１の高さも含めると１９６ｃｍである。幅は６０ｃｍである。奥行きは７２ｃｍで、前支柱１から背当て支柱２までの奥行きは４８ｃｍである。  生産方法は、丸パイプの切断、折り曲げ、溶接（接続）加工がメインとなる。
【産業上の利用可能性】
【００１１】  本考案はヘルシージム、バストアップ、猫背矯正、腰痛・肩凝り・五十肩予防解消健康器具を製造する産業で利用される。
【符号の説明】
【００１２】１    前支柱２    背当て支柱３    つかまり棒ａ４    つかまり棒ｂ５    つかまり棒ｃ６    つかまり棒ｄ７    背当て８    背当てアーム９    背当て調節パイプ１０  ゴム（性）バンド１１  前支柱と背当て支柱をつなぐ連結棒
【図１】
0003179500.tif 000003
【図２】
0003179500.tif 000004
【図３】
0003179500.tif 000005
【図４】
0003179500.tif 000006
【図５】
0003179500.tif 000007
【図６】
0003179500.tif 000008
【手続補正書】
【提出日】平成24年4月13日(2012.4.13)
【手続補正１】
【補正対象書類名】明細書
【補正対象項目名】０００８
【補正方法】変更
【補正の内容】
【０００８】
【図１】本考案に係るヘルシージム、バストアップ、猫背矯正、腰痛・肩凝り・五十肩予防解消健康器具の外観図（斜視図）である。
【図２】本考案に係るヘルシージム、バストアップ、猫背矯正、腰痛・肩凝り・五十肩予防解消健康器具の正面図である。
【図３】本考案に係るヘルシージム、バストアップ、猫背矯正、腰痛・肩凝り・五十肩予防解消健康器具の背面図である。
【図４】本考案に係るヘルシージム、バストアップ、猫背矯正、腰痛・肩凝り・五十肩予防解消健康器具の右側面図である。
【図５】本考案に係るヘルシージム、バストアップ、猫背矯正、腰痛・肩凝り・五十肩予防解消健康器具の平面図である。
【図６】本考案に係るヘルシージム、バストアップ、猫背矯正、腰痛・肩凝り・五十肩予防解消健康器具の底面図である。
【図７】本考案に係る、７の背当て・８の背当てアーム・９の背当て調節パイプの係り合いと、９背当て調節パイプが２の背当て支柱に納まることを示した分解図・組み立て図である。
【図８】本考案に係る、７の背当て・８の背当てアーム・９の背当て調節パイプが係り合い９の背当て調節パイプが２の背当て支柱に納まり７−８−９が使用者に適合するようにセットされたことを示す分解図・組み立て図である。更に、２と後ろ側の土台パイプ１３、１３と左右の土台パイプ１２の関係を、左右の前支柱１と左右の土台パイプ１２の関係を、左右の前支柱１と３・４・５・６のつかまり棒ａ・ｂ・ｃ・ｄとの関係をそれぞれ示した分解図・組み立て図である。
【図９】上、図８で説明した係り合いにより、それぞれ接合されたことを示す図である。
【図１０】図９に示された構造物と１０ゴム（性）バンド、１１前支柱と背当て支柱をつなぐ連結棒との係りを示す図である。
【手続補正２】
【補正対象書類名】明細書
【補正対象項目名】００１０
【補正方法】変更
【補正の内容】
【００１０】  図７・図８・図９・図１０の説明からする。各パーツは１〜１３に分かれる。先ず、７背当てと８背当てアームを溶接等で接合し、７−８の８と９背当て調節パイプを溶接等で接合し、その９を２背当て支柱に下から通す。図７に示す。そして、使用者の背に合うような長さ・高さに７−８−９をセットする。セットの仕方はネジ等を使うが本考案とは直接関係ないので詳しく述べないでおく。これで７−８−９−２の部分、つまり２背当て支柱を中心とした部分が出来上がった（図８右側参照）。次に、後ろ側の土台パイプ１３を左右の土台パイプ１２に溶接等で接合する。合わせて、左右の前支柱１を左右の土台パイプ１２に溶接等でそれぞれ接合する。同時に３・４・５・６のつかまり棒ａ・ｂ・ｃ・ｄを左右の前支柱１の上部の内側に溶接等で接合する。そして、７−８−９−２の２の最下部を１３の後ろ側の土台パイプの長さの中心に溶接等で接合する（図８参照）。かくして、図９のように出来上がった。そして、１１の前支柱と背当て支柱をつなぐ連結棒を溶接等で１の前支柱の最上部に接合し、２の背当て支柱の上部端と１１の左右の長さの中心を接合する。最後に１０のゴム（性）バンドを大きなグリップ等で５つかまり棒ｃと６つかまり棒ｄの間にセットする。但し、セットの仕方は本考案とは直接関係ないのでその説明は省略する（図１０参照）。
本考案のヘルシージム、バストアップ、猫背矯正、腰痛・肩凝り・五十肩予防解消健康器具は、前支柱１と背当て支柱２、つかまり棒ａの３・つかまり棒ｂの４・つかまり棒ｃの５・つかまり棒ｄの６、背当て７、背当てアーム８、背当て調節パイプ９、ゴム（性）バンド１０、前支柱と背当て支柱をつなぐ連結棒１１、左右及び後ろ側の土台パイプ１２・１３を有する。
図１のつかまり棒ａの３に、先ずつま先を地に必ず着けたまま、背当て７の方を背にして、体をできるだけ伸ばすようにしながらつかまる、または足を地に着けたままぶら下がる。この時、既に背当て７は体の背に触れている。８、９は長さ・高さ調節可能であるが、本考案とは直接関係ないので詳しく述べない。次にその位置その体勢のまま、つかまり棒ｂの４、つかまり棒ｃの５へと手及び腕を後ろ、つまり、つかまり棒ｄの６の方にずらしていく。かくして、背当て７によって背・脊柱・胸椎がより前に押されることになる。つまり、猫背矯正・バストアップになる。できれば、つかまり棒ｄの６にもつかまれることが望ましいが触れるだけでもよい。最後に、つかまり棒ｃの５とつかまり棒ｄの６の間に大きなクリップ等でセットされたたゴム（性）バンド１０をつかみお尻の方へ手をもっていく。即ち、結帯動作をする。この結帯動作によっても、更に背・脊柱・胸椎が前に押されることになる。つまり、猫背矯正・バストアップとなる。この動作は、五十肩予防（解消）にも有効であると私は考えている。姿勢が猫背であれば、猫背が矯正されるにつれ肩凝りは、次第に解消されであろう。また、背筋が伸びること、猫背が矯正されることで肩凝りは予防されるであろう。更には、前かがみを原因とする腰痛に対しては、背筋が伸びることである程度腰痛は解消され、腰痛の予防も期待できるであろう。
図面は（おおよそ）１／２０で示す。左側面図は、右側面図と対称なので省略してある。
本考案の材質は主に鉄鋼（スチール）である。または、その類いである。１０のゴム（性）バンドはゴム（性）の物を使用。大きさは、以下のようである。本考案は丸パイプで構成されているが、パイプの太さは、概ね２．５ｃｍである。高さ、つまり、地からつかまり棒ａの３までの高さは、１８０ｃｍである。但し、前支柱と背当て支柱をつなぐ連結棒１１の高さも含めると１９６ｃｍである。幅は６０ｃｍである。奥行きは７２ｃｍで、前支柱１から背当て支柱２までの奥行きは４８ｃｍである。
生産方法は、丸パイプの切断、折り曲げ、溶接（接続）加工がメインとなる。
【手続補正３】
【補正対象書類名】明細書
【補正対象項目名】００１２
【補正方法】変更
【補正の内容】
【００１２】１    前支柱
２    背当て支柱
３    つかまり棒ａ
４    つかまり棒ｂ
５    つかまり棒ｃ
６    つかまり棒ｄ
７    背当て
８    背当てアーム
９    背当て調節パイプ
１０  ゴム（性）バンド
１１  前支柱と背当て支柱をつなぐ連結棒
１２  左右の土台パイプ
１３  後ろ側の土台パイプ
【手続補正４】
【補正対象書類名】実用新案登録請求の範囲
【補正対象項目名】全文
【補正方法】変更
【補正の内容】
【実用新案登録請求の範囲】
【請求項１】
左右及び後ろ側の土台パイプを基礎にして前支柱に、背当て支柱、つかまり棒（ａ〜ｄ）背当て、背当てアーム、背当て調節パイプ、ゴム（性）バンド、前支柱と背当て支柱をつなぐ連結棒を有することを特徴とするヘルシージム、バストアップ、猫背矯正、腰痛・肩凝り・五十肩予防解消健康器具。
それぞれの関係は、各パーツは１〜１３に分かれるが、次のようである。７の背当てと８の背当てアームは接合され、９背当て調節パイプは７−８の結合物の８と接合され、７−８−９の９が下から２背当て支柱に通る。そして、使用者の背に合うような長さ・高さに７−８−９はセットされる。これで７−８−９−２の部分、つまり２背当て支柱を中心とした部分が構成される。次に、後ろ側の土台パイプ１３は左右の土台パイプ１２に接合される。合わせて、左右の前支柱１は左右の土台パイプ１２にそれぞれ接合される。同時に３・４・５・６のつかまり棒ａ・ｂ・ｃ・ｄは左右の前支柱１の上部の内側に接合される。そして、７−８−９−２の２の最下部は１３の後ろ側の土台パイプの長さの中心に接合される。そして、１１の前支柱と背当て支柱をつなぐ連結棒は左右の下端部が１の前支柱の最上部に接合され、２の背当て支柱の上部端と１１の左右の長さの中心が接合される。最後に１０のゴム（性）バンドは大きなグリップ等で５つかまり棒ｃと６つかまり棒ｄの間にセットされる。
かくして、それぞれの係り合いによりヘルシージム、バストアップ、猫背矯正、腰痛・肩凝り・五十肩予防解消健康器具が構成される。
【手続補正５】
【補正対象書類名】図面
【補正対象項目名】図１
【補正方法】変更
【補正の内容】
【図１】
0003179500.tif 000009
【手続補正６】
【補正対象書類名】図面
【補正対象項目名】図７
【補正方法】追加
【補正の内容】
【図７】
0003179500.tif 000010
【手続補正７】
【補正対象書類名】図面
【補正対象項目名】図８
【補正方法】追加
【補正の内容】
【図８】
0003179500.tif 000011
【手続補正８】
【補正対象書類名】図面
【補正対象項目名】図９
【補正方法】追加
【補正の内容】
【図９】
0003179500.tif 000012
【手続補正９】
【補正対象書類名】図面
【補正対象項目名】図１０
【補正方法】追加
【補正の内容】
【図１０】
0003179500.tif 000013
【手続補正書】
【提出日】平成24年6月18日(2012.6.18)
【手続補正１】
【補正対象書類名】明細書
【補正対象項目名】０００８
【補正方法】変更
【補正の内容】
【０００８】
【図１】本考案に係るヘルシージム、バストアップ、猫背矯正、腰痛・肩凝り・五十肩予防解消健康器具の外観図（斜視図）である。
【図２】本考案に係るヘルシージム、バストアップ、猫背矯正、腰痛・肩凝り・五十肩予防解消健康器具の正面図である。
【図３】本考案に係るヘルシージム、バストアップ、猫背矯正、腰痛・肩凝り・五十肩予防解消健康器具の背面図である。
【図４】本考案に係るヘルシージム、バストアップ、猫背矯正、腰痛・肩凝り・五十肩予防解消健康器具の右側面図である。
【図５】本考案に係るヘルシージム、バストアップ、猫背矯正、腰痛・肩凝り・五十肩予防解消健康器具の平面図である。
【図６】本考案に係るヘルシージム、バストアップ、猫背矯正、腰痛・肩凝り・五十肩予防解消健康器具の底面図である。
【図７】本考案に係る、背当て（７）・背当てアーム（８）・背当て調節パイプ（９）の係り合いと、背当て調節パイプ（９）が背当て支柱（２）に納まることを示した分解図・組み立て図である。
【図８】本考案に係る、背当て（７）・背当てアーム（８）・背当て調節パイプ（９）が係り合い、背当て調節パイプ（９）が背当て支柱（２）に納まり、背当て（７）と背当てアーム（８）と背当て調節パイプ（９）が使用者に適合するようにセットされたことを示す分解図・組み立て図である。更に、背当て支柱（２）と後ろ側の土台パイプ（１３）、後ろ側の土台パイプ（１３）と左右の土台パイプ（１２）の関係を、左右の前支柱（１）と左右の土台パイプ（１２）の関係を、左右の前支柱（１）とつかまり棒ａ（３）・つかまり棒ｂ（４）・つかまり棒ｃ（５）・つかまり棒ｄ（６）との関係をそれぞれ示した分解図・組み立て図である。
【図９】上、図８で説明した係り合いにより、それぞれ接合されたことを示す図である。
【図１０】図９に示された構造物とゴムバンド（１０）、前支柱と背当て支柱をつなぐ連結棒（１１）との係りを示す図である。
【手続補正２】
【補正対象書類名】明細書
【補正対象項目名】００１０
【補正方法】変更
【補正の内容】
【００１０】  図７・図８・図９・図１０の説明からする。各パーツは１〜１３に分かれる。先ず、背当て（７）と背当てアーム（８）を溶接等で接合し、この２つが接合された物体と背当て調節パイプ（９）を溶接等で接合し、その背当て調節パイプ（９）を背当て支柱（２）に下から通す。図７に示す。そして、使用者の背に合うような長さ・高さに背当て（７）と背当てアーム（８）と背当て調節パイプ（９）をセットする。セットの仕方はネジ等を使う。これで背当て（７）と背当てアーム（８）と背当て調節パイプ（９）と背当て支柱（２）の部分、つまり背当て支柱（２）を中心とした部分が出来上がった（図８右側参照）。次に、後ろ側の土台パイプ（１３）を左右の土台パイプ（１２）に溶接等で接合する。合わせて、左右の前支柱（１）を左右の土台パイプ（１２）に溶接等でそれぞれ接合する。同時につかまり棒ａ（３）・つかまり棒ｂ（４）・つかまり棒ｃ（５）・つかまり棒ｄ（６）を左右の前支柱１の上部の内側に溶接等で接合する。そして、「背当て（７）と背当てアーム（８）と背当て調節パイプ（９）と背当て支柱（２）」の背当て支柱（２）の最下部を後ろ側の土台パイプ（１３）の長さの中心に溶接等で接合する（図８参照）。図９は出来上がりを示す。そして、前支柱と背当て支柱をつなぐ連結棒（１１）を溶接等で前支柱（１）の最上部に接合し、背当て支柱（２）の上部端と前支柱と背当て支柱をつなぐ連結棒（１１）の左右の長さの中心を接合する。最後にゴムバンド（１０）を大きなグリップ等でつかまり棒ｃ（５）とつかまり棒ｄ（６）の間にセットする（図１０参照）。
本考案のヘルシージム、バストアップ、猫背矯正、腰痛・肩凝り・五十肩予防解消健康器具は、前支柱（１）と背当て支柱（２）、つかまり棒ａ（３）・つかまり棒ｂ（４）・つかまり棒ｃ（５）・つかまり棒ｄ（６）、背当て（７）、背当てアーム（８）、背当て調節パイプ（９）、ゴムバンド（１０）、前支柱と背当て支柱をつなぐ連結棒（１１）、左右の土台パイプ（１２）、及び、後ろ側の土台パイプ（１３）を有する。
図１のつかまり棒ａ（３）に、先ずつま先を地に必ず着けたまま、背当て（７）の方を背にして、体をできるだけ伸ばすようにしながらつかまる。または足を地に着けたままぶら下がる。この時既に、背当て（７）は体の背に触れている。背当てアーム（８）、背当て調節パイプ（９）は長さ・高さ調節可能である。次にその位置その体勢のまま、つかまり棒ｂ（４）、つかまり棒ｃ（５）へと手及び腕を後ろ、つまり、つかまり棒ｄ（６）の方にずらしていく。かくして、背当て（７）によって背・脊柱・胸椎がより前に押されることになる。つまり、猫背矯正・バストアップになる。できれば、つかまり棒ｄ（６）にもつかまれることが望ましいが触れるだけでもよい。最後に、つかまり棒ｃ（５）とつかまり棒ｄ（６）の間に大きなクリップ等でセットされたゴムバンド（１０）をつかみお尻の方へ手をもっていく。即ち、結帯動作をする。この結帯動作によっても、更に背・脊柱・胸椎が前に押されることになる。つまり、猫背矯正・バストアップとなる。この動作は、五十肩予防・解消にも有効である。姿勢が猫背であれば、猫背が矯正されるにつれ肩凝りは、次第に解消される。また、背筋が伸びること、猫背が矯正されることで肩凝りは予防される。更には、前かがみを原因とする腰痛に対しては、背筋が伸びることである程度腰痛は解消され、腰痛の予防も期待できる。
左側面図は、右側面図と対称なので省略してある。
本考案の材質は主に鉄鋼である。または、その類いである。ゴムバンド（１０）はゴムの物を使用。大きさは、以下のようである。本考案は丸パイプで構成されているが、パイプの太さは、概ね２．５ｃｍである。高さ、つまり、地からつかまり棒ａ（３）までの高さは、１８０ｃｍである。但し、前支柱と背当て支柱をつなぐ連結棒（１１）の高さも含めると１９６ｃｍである。幅は６０ｃｍである。奥行きは７２ｃｍで、前支柱１から背当て支柱２までの奥行きは４８ｃｍである。
生産方法は、丸パイプの切断、折り曲げ、溶接・接続加工がメインとなる。
【手続補正３】
【補正対象書類名】実用新案登録請求の範囲
【補正対象項目名】全文
【補正方法】変更
【補正の内容】
【実用新案登録請求の範囲】
【請求項１】
左右の土台パイプ（１２）と後ろ側の土台パイプ（１３）を基礎にして前支柱（１）に、背当て支柱（２）、つかまり棒ａ（３）・つかまり棒ｂ（４）・つかまり棒ｃ（５）・つかまり棒ｄ（６）、背当て（７）、背当てアーム（８）、背当て調節パイプ（９）、ゴムバンド（１０）、前支柱と背当て支柱をつなぐ連結棒（１１）を有することを特徴とするヘルシージム、バストアップ、猫背矯正、腰痛・肩凝り・五十肩予防解消健康器具。
それぞれの関係は、各パーツは１〜１３に分かれるが、次のようである。背当て（７）と背当て調節パイプ（９）は背当てアーム（８）によって接合し、背当て調節パイプ（９）は背当て支柱（２）と接合し、背当て支柱（２）は後ろ側の土台パイプ（１３）と前支柱と背当て支柱をつなぐ連結棒（１１）に接合し、後ろ側の土台パイプ（１３）は左右の土台パイプ（１２）と接合し、前支柱と背当て支柱をつなぐ連結棒（１１）は前支柱（１）と接合し、前支柱（１）は左右の土台パイプ（１２）とも接合し、つかまり棒ａ（３）・つかまり棒ｂ（４）・つかまり棒ｃ（５）・つかまり棒ｄ（６）は前支柱（１）の上部と挟まれる形で接合し、ゴムバンド（１０）はつかまり棒ｃ（５）とつかまり棒ｄ（６）の間にセットされる。
かくして、それぞれの係り合いによりヘルシージム、バストアップ、猫背矯正、腰痛・肩凝り・五十肩予防解消健康器具が構成される。
【手続補正書】
【提出日】平成24年8月15日(2012.8.15)
【手続補正１】
【補正対象書類名】明細書
【補正対象項目名】００１０
【補正方法】変更
【補正の内容】
【００１０】  図７・図８・図９・図１０の説明からする。各パーツは１〜１３に分かれる。先ず、背当て（７）と背当てアーム（８）を溶接等で接合し、この２つが接合された物体と背当て調節パイプ（９）を溶接等で接合し、その背当て調節パイプ（９）を背当て支柱（２）に下から通す。図７に示す。そして、使用者の背に合うような長さ・高さに背当て（７）と背当てアーム（８）と背当て調節パイプ（９）をセットする。セットの仕方はネジ等を使う。これで背当て（７）と背当てアーム（８）と背当て調節パイプ（９）と背当て支柱（２）の部分、つまり背当て支柱（２）を中心とした部分が出来上がった（図８右側参照）。次に、後ろ側の土台パイプ（１３）を左右の土台パイプ（１２）に溶接等で接合する。合わせて、左右の前支柱（１）を左右の土台パイプ（１２）に溶接等でそれぞれ接合する。同時につかまり棒ａ（３）・つかまり棒ｂ（４）・つかまり棒ｃ（５）・つかまり棒ｄ（６）の両端を左右の前支柱（１）の上部のパイプの内側面と内側面との間に挟まれるように溶接等で接合する。そして、「背当て（７）と背当てアーム（８）と背当て調節パイプ（９）と背当て支柱（２）」の背当て支柱（２）の最下部を後ろ側の土台パイプ（１３）の長さの中心に溶接等で接合する（図８）。図９は出来上がりを示す。そして、前支柱と背当て支柱をつなぐ連結棒（１１）を溶接等で前支柱（１）の最上部に接合し、背当て支柱（２）の上部端と前支柱と背当て支柱をつなぐ連結棒（１１）の左右の長さの中心を接合する。最後にゴムバンド（１０）を大きなグリップ等でつかまり棒ｃ（５）とつかまり棒ｄ（６）の間の左右の前支柱のパイプにそれぞれ連結する（図１０）。
本考案のヘルシージム、バストアップ、猫背矯正、腰痛・肩凝り・五十肩予防解消健康器具は、前支柱（１）と背当て支柱（２）、つかまり棒ａ（３）・つかまり棒ｂ（４）・つかまり棒ｃ（５）・つかまり棒ｄ（６）、背当て（７）、背当てアーム（８）、背当て調節パイプ（９）、ゴムバンド（１０）、前支柱と背当て支柱をつなぐ連結棒（１１）、左右の土台パイプ（１２）、及び、後ろ側の土台パイプ（１３）を有する。
図１のつかまり棒ａ（３）に、先ずつま先を地に必ず着けたまま、背当て（７）の方を背にして、体をできるだけ伸ばすようにしながらつかまる。または足を地に着けたままぶら下がる。この時既に、背当て（７）は体の背に触れている。背当てアーム（８）、背当て調節パイプ（９）は長さ・高さ調節可能である。次にその位置その体勢のまま、つかまり棒ｂ（４）、つかまり棒ｃ（５）へと手及び腕を後ろ、つまり、つかまり棒ｄ（６）の方にずらしていく。かくして、背当て（７）によって背・脊柱・胸椎がより前に押されることになる。つまり、猫背矯正・バストアップになる。できれば、つかまり棒ｄ（６）にもつかまれることが望ましいが触れるだけでもよい。最後に、つかまり棒ｃ（５）とつかまり棒ｄ（６）の間に大きなクリップ等で連結されたゴムバンド（１０）をつかみお尻の方へ手をもっていく。即ち、結帯動作をする。この結帯動作によっても、更に背・脊柱・胸椎が前に押されることになる。つまり、猫背矯正・バストアップとなる。この動作は、五十肩予防・解消にも有効である。姿勢が猫背であれば、猫背が矯正されるにつれ肩凝りは、次第に解消される。また、背筋が伸びること、猫背が矯正されることで肩凝りは予防される。更には、前かがみを原因とする腰痛に対しては、背筋が伸びることである程度腰痛は解消され、腰痛の予防も期待できる。
左側面図は、右側面図と対称なので省略してある。
本考案の材質は主に鉄鋼である。または、その類いである。ゴムバンド（１０）はゴムの物を使用。大きさは、以下のようである。本考案は丸パイプで構成されているが、パイプの太さは、２．５ｃｍである。高さ、つまり、地からつかまり棒ａ（３）までの高さは、１８０ｃｍである。但し、前支柱と背当て支柱をつなぐ連結棒（１１）の高さも含めると１９６ｃｍである。幅は６０ｃｍである。奥行きは７２ｃｍで、前支柱１から背当て支柱２までの奥行きは４８ｃｍである。
生産方法は、丸パイプの切断、折り曲げ、溶接・接続加工がメインとなる。
【手続補正２】
【補正対象書類名】実用新案登録請求の範囲
【補正対象項目名】全文
【補正方法】変更
【補正の内容】
【実用新案登録請求の範囲】
【請求項１】
本考案において、
（１）左右の土台パイプ（１２）と後ろ側の土台パイプ（１３）を基礎とする構成
（２）前支柱（１）に、背当て支柱（２）、つかまり棒ａ（３）・つかまり棒ｂ（４）・つかまり棒ｃ（５）・つかまり棒ｄ（６）、背当て（７）、背当てアーム（８）、背当て調節パイプ（９）、ゴムバンド（１０）、前支柱と背当て支柱をつなぐ連結棒（１１）を有することを特徴とする構成
（３）各パーツについては、背当て（７）と背当て調節パイプ（９）は背当てアーム（８）によって接合し、背当て調節パイプ（９）は背当て支柱（２）と接合し、背当て支柱（２）は後ろ側の土台パイプ（１３）と前支柱と背当て支柱をつなぐ連結棒（１１）に接合し、後ろ側の土台パイプ（１３）は左右の土台パイプ（１２）と接合し、前支柱と背当て支柱をつなぐ連結棒（１１）は前支柱（１）と接合し、前支柱（１）は左右の土台パイプ（１２）とも接合し、つかまり棒ａ（３）・つかまり棒ｂ（４）・つかまり棒ｃ（５）・つかまり棒ｄ（６）のそれぞれの両端は左右の前支柱（１）の上部のパイプの内側面と内側面との間に挟まれる形で接合し、ゴムバンド（１０）はつかまり棒ｃ（５）とつかまり棒ｄ（６）の間の左右の前支柱のパイプにそれぞれ連結される構成
以上の（１）〜（３）の構成からなるヘルシージム、バストアップ、猫背矯正、腰痛・肩凝り・五十肩予防解消健康器具。